(57)【要約】【課題】本発明は、逆Ｖ字型の略対向関係に位置する一対のピストンに、同一燃焼室内で燃焼させた混合気の膨張による圧力エネルギーを同時に作用させることで、静粛性、振動性、耐久性に優れ、ショートストローク化による高回転高出力型の内燃機関に関する技術を提供しようとするものである。【解決手段】所定のバンク角（185度〜230度）を有して逆Ｖ字型の対向関係に位置する一対のピストンに、同一燃焼室内で燃焼させた混合気の膨張による圧力エネルギーを同時に作用させ、左右の各ピストンから其々左右のクランク機構を介して回転動力を得る構成の二軸出力型の逆Ｖ型略対向エンジンとした。【選択図】図１
2013083199.tif 000002
【特許請求の範囲】
【請求項１】
所定のバンク角を有して逆Ｖ字型の対向関係に位置する一対のピストンに、同一燃焼室内で燃焼させた混合気の膨張による圧力エネルギーを同時に作用させ、左右の各ピストンから其々左右のクランク機構を介して回転動力を得る二軸出力型の逆Ｖ型略対向エンジンであって、
シリンダヘッド相当部と、
シリンダと、
ピストンと、
コンロッドと、
クランクカムシャフト軸と、
出力軸と、
から構成され、
前記シリンダヘッド相当部には、吸気バルブと、排気バルブと、点火プラグと、インテークマニホールドと、エキゾーストマニホールドとが備えられ、
前記シリンダは、前記シリンダヘッド相当部から左右下方に向けてバンク角で185度〜230度傾斜し、
前記ピストンは、ピストンヘッド部がハイコンプレッションタイプで山形に突出しており、上死点において左右各々のピストンヘッド部とシリンダヘッド相当部の内壁により燃焼室を形成し、
前記左右一対のクランクカムシャフト軸は、往復動同調機構を介して出力軸に回転力を伝え、該出力軸から動力を得る構成を採用したことを特徴とする二軸出力型の逆Ｖ型略対向エンジン。
【発明の詳細な説明】
【技術分野】
【０００１】
本発明は、所定のバンク角を有して逆Ｖ字型の対向関係に位置する一対のピストンに、同一燃焼室内で燃焼させた混合気の膨張による圧力エネルギーを同時に作用させ、左右の各ピストンから其々左右のクランク機構を介して回転動力を得る二軸出力型の逆Ｖ型略対向エンジンに関する。
【背景技術】
【０００２】
燃料を機関内部で燃焼させ、発生する熱エネルギーを機械的エネルギーに変換して動力を得る内燃機関は、基本サイクル、点火方式、シリンダ配列、吸排気構造、使用燃料などによって分類されるが、中でもレシプロ４サイクルガソリンエンジンは、自動車、船舶、農機具、又は発電機など、広い分野で用いられる内燃機関である。
【０００３】
上記のガソリンエンジンは、電気による火花を用いて点火する火花点火内燃機関や火花点火エンジンとも呼ばれるもので、主に、吸気・圧縮・点火（膨張）・排気の４つの工程をピストン２往復で終了する４ストロークエンジンと、前記４つの工程（吸排気同時の掃気）を一往復で終了する２ストロークエンジンとがある。いずれも膨張現象がシリンダ内において、混合気の体積が最小となる付近で短時間に一気に行われ、燃焼容積がほぼ一定であることから定積燃焼サイクル、又はオットーサイクルと呼ばれるものである。その特徴は、排気量あたりの出力が大きく、また高速回転による運転も容易で、振動や騒音が少なく静寂性に優れていることから、主な用途としては乗用車、小型商業車、自動二輪車、小型船外機、小型作業機械などに広く利用されている。
【０００４】
また、上記のガソリンエンジンでは燃料の燃焼による熱エネルギーを作動流体の圧力（膨張）としてまず往復動に変換し、次いで回転運動としているため、機械的エネルギーとしてパワーアップするには、高回転化や高圧縮化することで、高出力、高トルク等を得ることになるが、これら出力増加に伴って生じる問題として、低振動、軽量化、静寂性、コンパクト化、低燃費化等の環境性能の確保も必要とされるものである。それらの問題を解決する手段として、シリンダ配列の選択がある。シリンダ容積をある範囲に限定して多気筒化することや、ピストンの配列により、振動特性、重量バランス、静粛性等に大きく影響する。具体的には、直列型エンジン、Ｖ型エンジン、水平対向エンジン等である。
【０００５】
直列型エンジンは、全ての気筒を一直線上に配置する最もシンプルな構造で、ピストンは地面に対して垂直に上下動するように配置され、気筒の数を増やしてエンジンの回転を滑らかにしたり、エンジンの総排気量を大きくしてエンジン出力を高めることができるものである。
【０００６】
また、Ｖ型エンジンは、総気筒数の半数の気筒数の直列型エンジンをＶ字形（バンク角60〜90度）に配置することでエンジンの長さや高さをコンパクト化でき、直列型エンジンと比較して振動を抑制して出力トルクを高めることができるものである。
【０００７】
また、水平対向エンジンは、バンク角が180度開いた状態でピストンが横向きに往復動することで重心を低くすることができるため、動作振動を抑制し、静寂・安定走行が可能となるものである。
【０００８】
さらに、従来からも、上記のガソリンエンジンやディーゼルエンジンなどの内燃機関におけるサイクル方式、点火方式、吸気方式、燃焼方式、吸排気弁システムや、エンジン構造の改良ならびに組み合わせよって燃焼効率を上げようとする数多くの内燃機関の提案がなされている。例えば、燃焼室を一にする通しシリンダ内に二機の対向したピストンを配置し、作用と反作用の両エネルギーを出力として取り出す「レシプロエンジンにおける反作用を動力化」（特許文献１参照）が提案されている。
【０００９】
しかしながら、係る技術は円筒形の燃焼室が横向きに配置され、点火プラグが一方に偏って配置されるため、ピストンならびにピストンヘッドの往復動の方向に対して爆発・膨張エネルギーが角度を成して作用するため、ピストンの片減りやノッキング現象を起こしやすい構造を有し、また燃焼室の形状が横長の円筒形であるため、燃焼室内における混合気の火炎伝播速度のバラツキが発生して、爆発・膨張エネルギーが出力軸に有効に伝達されない問題点があるものであった。
【００１０】
また、ピストン上面端部に平面或は曲面にて切欠き凹部を設けたピストンを、水平とし燃料噴射弁を中央部に設けたシリンダ内で凹部が下方となるよう対向設置したことと、ピストン上面を適角度に傾斜させ下方が広く上方に行くに従って狭くなるようピストン上面を対向させてシリンダ内にピストンを設けたことと、供給口・排気口をシリンダ中央適位置に設け、シリンダ両端にクランク室を設けて密室とし、クランク室寄りのシリンダ両端或はクランク室適位置に排出口・吸入口を設け、室内圧力調整或は大気の送入を可能とした空気圧タンクと、供給口と排出口を連結し、各出入口に流れを調整制御する弁を設けた「水平対向エンジン」（特許文献２参照）が提案されている。
【００１１】
しかしながら、係る技術はピストン上面を適角度傾斜させ端部に平面或は任意曲面にて適量切欠いて凹部を設けたピストンを、燃料噴射弁を中央部に設け水平としたシリンダ内で凹部を燃料噴射弁側の下方とし、且つ燃料噴射弁より遠くなる程ピストン上面間が狭くなるようピストンを対向設置し、供給口・排気口をシリンダ中央適位置に設けシリンダ両端にクランク室を設けて密室とし、クランク室寄りのシリンダ両端或はクランク室適位置に排出口・吸入口を設け、室内圧力調整或は大気の送入を可能とした空気圧タンクと供給口と排出口を供給管或は排出管にて連結し弁にて気体の流れを制御するようにしたものであるが、シリンダヘッドに切欠いた凹部を形成していることによって、ピストンならびにピストンヘッドの往復動の方向に対して爆発・膨張エネルギーが角度を成して作用するため、ピストンの片減りやノッキング現象を起こしやすい構造であると共に、ピストンのバランス重量が一方に偏るため、高回転時における振動ならびにピストンの片減りやノッキング現象を助長しやすい形状を有するものであった。
【００１２】
以上のように、従来の内燃機関から、更なる高回転、高出力、高トルク等を増大させることができると共に、低振動、軽量化、静寂性、コンパクト化、低燃費化等の環境性能をも備えた内燃機関が求められるものである。
【００１３】
そこで、本出願人は、Ｖ型エンジンならびに水平対向エンジンの構造に着目し、中央に位置する一基の燃焼室と、その両側に二基の逆Ｖ字型の対向エンジンを配置し、該中央に位置する燃焼室内の一回の爆発・膨張エネルギーを逆Ｖ型略対向エンジンの機械的伝達機構を介して回転エネルギーとして利用できるのではないかという着想の下、内燃機関装置内で発生する爆発・膨張エネルギーをより効率よく利用するためにはどのようにすればよいかという課題の下、内燃機関装置内の同一燃焼室内で混合気を燃焼させて得られる爆発・膨張エネルギーによって一対の逆Ｖ字型に対向するピストンのクランクカムシャフト軸の出力軸に回転力を得ることができる「二軸出力型の逆Ｖ型略対向エンジン」の提案に至ったものである。
【先行技術文献】
【特許文献】
【００１４】
【特許文献１】特開２００８−２８０９８８号公報
【特許文献２】特開平８−９３４９８号公報
【発明の概要】
【発明が解決しようとする課題】
【００１５】
本発明は、逆Ｖ字型の略対向関係に位置する一対のピストンに、同一燃焼室内で燃焼させた混合気の膨張による圧力エネルギーを同時に作用させることで、静粛性、振動性、耐久性に優れ、ショートストローク化による高回転高出力型の内燃機関に関する技術を提供しようとするものである。
【課題を解決するための手段】
【００１６】
本発明は、所定のバンク角（185度〜230度）を有して逆Ｖ字型の対向関係に位置する一対のピストンに、同一燃焼室内で燃焼させた混合気の膨張による圧力エネルギーを同時に作用させ、左右の各ピストンから其々左右のクランク機構を介して回転動力を得る二軸出力型の逆Ｖ型略対向エンジンであって、シリンダヘッド相当部と、シリンダと、ピストンと、コンロッドと、クランクカムシャフト軸と、出力軸とから構成され、前記シリンダヘッド相当部には、吸気バルブ、排気バルブ、点火プラグ、インテークマニホールド、エキゾーストマニホールドが備えられ、前記シリンダは、前記シリンダヘッド相当部から左右下方に向けてバンク角で185度〜230度傾斜し、前記ピストンは、ピストンヘッド部がハイコンプレッションタイプで山形に突出しており、上死点において左右各々のピストンヘッド部とシリンダヘッド相当部の内壁により燃焼室を形成し、前記左右一対のクランクカムシャフト軸は、往復動同調機構を介して出力軸に回転力を伝え、該出力軸から動力を得る手段を採る。
【発明の効果】
【００１７】
本発明に係る二軸出力型の逆Ｖ型略対向エンジンによれば、一対の４サイクル燃焼機関が逆Ｖ字型（バンク角185度〜230度）の横長に配置することでコンパクト化と車両重心が低い安定走行が可能となり、さらに逆Ｖ型略対向エンジンが対向位置に配置されることによってエンジン作動による振動が相殺されるという優れた効果を奏する。
【００１８】
また、本発明に係る二軸出力型の逆Ｖ型略対向エンジンによれば、燃焼室の形状が点火位置に対して遠くになればなる程、燃焼室の容積が狭まる形状であるため、点火伝播速度が速く、さらにシリンダのバンク角（185度〜230度）を有して逆Ｖ字型の対向関係に位置する一対のピストンにフリクションロスが発生しにくいという優れた効果を奏する。
【００１９】
また、本発明に係る二軸出力型の逆Ｖ型略対向エンジンによれば、燃焼室が１基に対してピストンが逆Ｖ字型に対向して２基あるため同じ排気量で同一ボアであればストロークが半分となるため、超高回転型のショートストロークエンジンが可能になると共に、ピストンヘッドに掛かる負担も少ないという優れた効果を奏する。
【００２０】
また、本発明に係る二軸出力型の逆Ｖ型略対向エンジンによれば、中央に配置される燃焼室の容積とシリンダ容積を加えた最大容積に対して２基の逆Ｖ字型に対向するピストンボアの総表面積の和が従来の４サイクル燃焼機関のピストンボアの表面積に対して２倍以上の表面積を有することから、同じ排気量で高出力の内燃機関が実現できると同時に、シリンダの長さがショートストロークで形成されることによってエンジンルームにコンパクトに収まりやすく、さらに静寂性能が高く、高回転の内燃機関が実現できるという優れた効果を奏する。
【００２１】
また、本発明に係る二軸出力型の逆Ｖ型略対向エンジンによれば、従来のシリンダヘッドの上面にＯＨＶ、ＳＯＨＣ、ＤＯＨＣなどの吸排気弁システムを取り付けてバルブの開閉タイミングの管理を容易にすることで、吸入空気量を増させて燃焼効率を上げることができるという優れた効果を奏し得る。
【００２２】
また、本発明に係る二軸出力型の逆Ｖ型略対向エンジンによれば、燃焼室の形状が点火位置に対して遠くになればなる程燃焼室の容積が狭まる形状であるため、ガソリンの他にも、軽油、ＬＰＧ、天然ガス、水素、メタノールなどの火炎伝播速度の速い燃料を使用することができるという優れた効果を奏し得る。
【図面の簡単な説明】
【００２３】
【図１】本発明における二軸出力型の逆Ｖ型略対向エンジンの全体を示す模式的断面説明図である。（実施例１）
【図２】本発明における二軸出力型の逆Ｖ型略対向エンジンの吸気工程を示す模式的断面説明図である。
【図３】本発明における二軸出力型の逆Ｖ型略対向エンジンの圧縮工程を示す模式的断面説明図である。
【図４】本発明における二軸出力型の逆Ｖ型略対向エンジンの爆発・膨張行程を示す模式的断面説明図である。
【図５】本発明における二軸出力型の逆Ｖ型略対向エンジンの排気工程を示す模式的断面説明図である。
【発明を実施するための形態】
【００２４】
本発明の二軸出力型の逆Ｖ型略対向エンジンは、所定のバンク角（185度〜230度）を有して逆Ｖ字型の対向関係に位置する一対のピストンに、同一燃焼室内で燃焼させた混合気の膨張による圧力エネルギーを同時に作用させ、左右の各ピストンから其々左右のクランク機構を介して回転動力を得る二軸出力型の逆Ｖ型略対向エンジンとする手段を採ったことを最大の特徴とするもので、以下実施例を図面に基づいて説明する。
【実施例１】
【００２５】
図１は、本発明における二軸出力型の逆Ｖ型略対向エンジンの全体を示す模式的断面説明図である。
本発明の二軸出力型の逆Ｖ型略対向エンジン１０は、所定のバンク角θ（185度〜230度）を有して逆Ｖ字型に対向関係に位置する一対のピストン４０に、同一燃焼室内で燃焼させた混合気の膨張による圧力エネルギーを同時に作用させ、左右の各ピストン４０から其々左右のクランク機構を介して回転動力を得る構造で構成される。
【００２６】
本発明の吸排気バルブシステムは、インテークマニホールド３１に燃料を噴射して燃料と空気の混合気を燃焼室に送りこむインジェクション式燃料噴射と、燃焼室２４内に高圧の燃料を噴射して点火プラグ２３付近に燃料を吹き付ける直噴式噴射装置の燃料噴射方式を使うことができるもので、本明細書中はインジェクション式燃料噴射を用いて説明している。
【００２７】
シリンダヘッド相当２０は、燃焼室２４の上部に、吸気バルブ２１と、排気バルブ２２と、点火プラグ２３と、インテークマニホールド３１と、エキゾーストマニホールド３２を凹設した状態で形成されるものである。
【００２８】
吸気バルブ２１は、ＯＨＶ、ＳＯＨＣ、ＤＯＨＣなどのバルブシステムに連結されるもので、燃焼室２４の上部に設けてガソリン等を気化器で混合した混合気をインテークマニホールド３１を通して燃焼室２４に吸気する動作弁である。
【００２９】
排気バルブ２２は、ＯＨＶや、ＳＯＨＣや、ＤＯＨＣなどのバルブシステムに連結されるもので、燃焼室２４の上部に設けて燃焼室２４内で燃焼した混合気をエキゾーストマニホールド３２を通して触媒に排気する動作弁である。
【００３０】
点火プラグ２３は、燃焼室２４の中央上部の吸気バルブ２１と排気バルブ２２の間に垂直に配設され、ディストリビューターから配電されて電気的に点火する点火装置である。
【００３１】
燃焼室２４は、シリンダブロック本体中央のシリンダヘッド相当２０の逆Ｖ字型に対向するシリンダ３０の頂点に位置し、４サイクル燃焼行程の爆発・膨張行程で燃焼室容積が最小容積になる時点で、点火プラグ２３の位置から遠ざかるに従がって燃焼室２４容積が狭小容積になるもので、点火炎伝播速度の速いガソリン、軽油、ＬＰＧ、天然ガス、水素、メタノールなどの燃料であっても燃焼効率が高い内燃機関を形成することができるものである。
【００３２】
シリンダ３０は、シリンダブロック本体に対して逆Ｖ字型のバンク角θ（185度〜230度）を有して逆Ｖ字型に対向する関係に配置されるもので、逆Ｖ字型に配置することによってコンパクト化が図られ、対向関係に配置されることによって低重心化と低振動化が図られるものである。なお、シリンダ３０の冷却に関しては図示していないが、放熱板等のヒートシンクによる空令や水冷式などが考え得る。
【００３３】
インテークマニホールド３１は、シリンダブロック本体の燃焼室２４の中央上部の吸気バルブ２１側に配設され、ガソリン等を気化器で混合した混合気を燃焼室２４に吸気させる吸気配管である。
【００３４】
エキゾーストマニホールド３２は、シリンダブロック本体の燃焼室２４の中央上部の排気バルブ２２側に配設され、燃焼室２４内で燃焼した混合気を燃焼室２４から触媒に排出する排気配管である。
【００３５】
ピストン４０は、コンロッド５０とクランクカムシャフト軸６０とから成るクランク伝達機構よってシリンダ内を往復動して、燃焼室２４で発生する爆発・膨張エネルギーを回転軸に伝達するもので、側面にはコンプレッションリングと、オイルリングを備えてシリンダ３０の内面と機密性を高めている。
【００３６】
ピストンヘッド４１は、所謂天頂部が山形状に盛り上がったコンベックスヘッドに類似した形状を有するもので、中央から円周縁に向かって傾斜するなだらかな曲面を形成する山形状に形成し、燃焼室２４内で発生する爆発・膨張エネルギーをそのなだらかな曲面でコンロッド５０とクランクカムシャフト軸６０とから成るクランク伝達機構と、シリンダブロック本体の中央上部に位置するインテークマニホールド３１と、エキゾーストマニホールド３２に導く形状を有するものである。
【００３７】
コンロッド５０は、一端にピストン４０と連結するためのピストンピン挿入部となるスモールエンド５２を有し、他端には、クランクカムシャフト軸６０と連結するためのクランクピンにより挿入部となるビックエンド５３を設け、ピストン４０の往復運動を回転運動に変える構造を有するものである。
【００３８】
往復動同調機構５１（図示なし）は、一対のピストン４０がクランクカムシャフト軸６０に連結される位置と対向する位置に其々連結され、一対のピストン伝達機構を同調させるためにタイミングベルト、ギア、クランクカムシャフト、チェーン等によって連結同調されるものである。
【００３９】
クランクカムシャフト軸６０は、ハウジングケース７０内のジャーナル部にメタルやベアリング等を介して内設され、また、コンロッド５０との連結する外周円上の反対側に振動を防止するバランスウエイト６１を設け、ピストン４０やコンロッド５０の重量に係る慣性力と相殺させて振動を抑え、直線的な動作をしようとするピストン４０を滑らかな回転運動に変えるものである。
【００４０】
本発明における二軸出力型の逆Ｖ型略対向エンジン１０は、燃焼室２４内で発生する爆発・膨張エネルギーを中央に位置する一基の燃焼室２４と、その両側に配置される二基の逆Ｖ字型の対向エンジンを配置し、中央に位置する燃焼室２４内の一回の爆発・膨張エネルギーを二基の逆Ｖ型略対向エンジンの機械的伝達機構を介して回転エネルギーとして機械的に伝達するものである。
【００４１】
図２は、本発明における二軸出力型の逆Ｖ型略対向エンジンの吸気工程を示す模式的断面説明図である。
吸気工程は、ピストン４０が上死点Ｈから下死点Ｌに達する間でピストン４０が下降を開始すると、吸気バルブ２１が開いて空気（混合気）がインテークマニホールド３１を通してシリンダ３０内に吸い込まれる工程である。
【００４２】
図３は、本発明における二軸出力型の逆Ｖ型略対向エンジンの圧縮工程を示す模式的断面説明図である。
圧縮工程は、ピストン４０が上死点Ｈから下死点Ｌに転じると吸気バルブ２１と排気バルブ２２が閉じられた状態になり、シリンダ３０内に吸い込まれた空気（混合気）はピストン４０が上昇することで圧縮され、圧縮された空気（混合気）は圧力が高まって燃焼温度となる工程である。
【００４３】
図４は、本発明における二軸出力型の逆Ｖ型略対向エンジンの爆発・膨張行程を示す模式的断面説明図である。
燃焼・膨張行程は、圧縮が終了すると燃焼室２４内で点火プラグ２３によって着火が行われ、燃焼で高温高圧になった燃焼ガスＧの爆発・膨張エネルギーでピストン４０が押し下げられ、クランクカムシャフト軸６０の出力軸６２に回転力を機械的に伝達する工程である。
【００４４】
燃焼室２４の形状が点火位置に対して遠くになればなる程容積が狭まる形状であるため、点火伝播速度を速くして燃焼効率を上げると共に、シリンダ３０のバンク角θ（185度〜230度）を有して逆Ｖ字型の対向関係に位置する一対のピストン４０にフリクションロスが発生しにくくすることができるものである。
【００４５】
また、燃焼室２４が１基に対してピストン４０がＶ字型に対向して２基あるため、同じ排気量でもシリンダボアを小さくすることができることによって、高回転のショートストロークエンジンが可能となるものである。
【００４６】
図５は、本発明における二軸出力型の逆Ｖ型略対向エンジンの排気工程を示す模式的断面説明図である。
排気工程は、混合気の爆発が終わった燃焼ガスＧは、ピストン４０が再び上昇することで排気バルブ２２からエキゾーストマニホールド３２を通ってマフラー部に押し出されて排気ガスとなり、触媒で濾過されて車外に放出される。この排気工程が終了すると再びピストン４０が下降して吸気工程に戻る工程である。
【００４７】
本発明の二軸出力型の逆Ｖ型略対向エンジン１０は、以上の一連の吸気工程と、圧縮工程と、燃焼・膨張行程と、排気工程をピストン４０が二往復サイクルで作動されるものである。
【産業上の利用可能性】
【００４８】
本発明の二軸出力型の逆Ｖ型略対向エンジンは、小型軽量で高出力であることから、自動車のエンジンとしては元より非常用発電機や風力発電機の動力源として多方面に利用することができるもので、本発明の二軸出力型の逆Ｖ型略対向エンジンの産業上の利用可能性は大とするものと解する。
【符号の説明】
【００４９】
１０  二軸出力型の逆Ｖ型略対向エンジン
２０  シリンダヘッド相当部
２１  吸気バルブ
２２  排気バルブ
２３  点火プラグ
２４  燃焼室
３０  シリンダ
３１インテークマニホールド
３２エキゾーストマニホールド
４０  ピストン
４１  ピストンヘッド部
５０  コンロッド
５１  往復動同調機構
５２  スモールエンド
５３  ビックエンド
６０  クランクカムシャフト軸
６１  バランスウエイト
６２  出力軸
７０  ハウジングケース
Ｈ    上死点
Ｌ    下死点
Ｃ    クリアランス
Ｇ    燃焼ガス
θ    バンク角
【図１】
2013083199.tif 000003
【図２】
2013083199.tif 000004
【図３】
2013083199.tif 000005
【図４】
2013083199.tif 000006
【図５】
2013083199.tif 000007